(57)【要約】  情報端末上でのユーザ操作を簡略化できる再生装置を提供する。その再生装置は、コンテンツを再生する再生部と、情報端末との間で直接の無線接続を確立する通信部と、制御部と、を備える。制御部は、通信部が情報端末からコンテンツの再生要求を無線接続を介して受信した場合は、その情報端末が予め許可された情報端末であるか否かを判定する。そして、制御部は、その情報端末は予め許可された情報端末であると判定した場合は、再生部の電源がオフであれば再生部の電源をオンにする第一制御を行い、再生部にそのコンテンツの再生を指示する。制御部は、その情報端末は予め許可された情報端末ではないと判定した場合は、第一制御を行わない。
2016129216.tif 000002
【特許請求の範囲】
【請求項１】
コンテンツを再生する再生部と、
情報端末との間で直接の無線接続を確立する通信部と、
前記通信部が前記情報端末からコンテンツの再生要求を前記無線接続を介して受信した場合は、前記情報端末が予め許可された情報端末であるか否かを判定し、予め許可された情報端末であると判定した場合は、前記再生部の電源がオフであれば前記再生部の電源をオンにする第一制御を行い、前記再生部に前記コンテンツの再生を指示し、予め許可された情報端末ではないと判定した場合は前記第一制御を行わない制御部と、を備える、
再生装置。
【請求項２】
前記制御部は、
前記第一制御を実行した後に、前記再生要求により開始された前記コンテンツの再生が終了したときは、前記再生部の電源をオフにする第二制御を行う、
請求項１に記載の再生装置。
【請求項３】
前記制御部は、
前記第一制御を実行した後に、前記再生要求により開始された前記コンテンツの再生が終了したときは、前記再生部の電源をオフにする第二制御を行い、
前記第一制御を実行してから、前記再生要求により開始された前記コンテンツの再生が終了するまでの間に、前記再生装置上でのユーザ操作を受け付けた場合は、前記第二制御を行わない、
請求項１に記載の再生装置。
【請求項４】
前記制御部は、
前記再生要求により開始された前記コンテンツの再生が、前記情報端末から受け付けたユーザ操作によって終了した場合は、前記再生部の電源をオフにする、
請求項１に記載の再生装置。
【請求項５】
前記再生部は、
映像を再生する映像再生部と、音声を再生する音声再生部と、を有し、
前記制御部は、
前記再生要求の対象となるコンテンツの種類を判定し、
前記再生部の電源がオフである場合は、前記判定の結果に応じて、前記映像再生部の電源と前記音声再生部の電源とを個別に制御する、
請求項１に記載の再生装置。
【請求項６】
前記再生部は、
映像を再生する映像再生部と、音声を再生する音声再生部と、を有し、
前記制御部は、
前記再生要求の対象となるコンテンツの種類を判定し、
前記再生部の電源がオフである場合は、前記判定の結果に応じて、前記映像再生部の電源と前記音声再生部の電源とを個別に制御し、
前記コンテンツの種類が映像であると判定した場合であって、かつ前記再生部の電源がオフである場合は、前記音声再生部の電源をオンにせずに前記映像再生部の電源をオンにし、前記映像再生部に前記コンテンツの再生を指示し、
前記コンテンツの種類が音声であると判定した場合であって、かつ前記再生部の電源がオフである場合は、前記映像再生部の電源をオンにせずに前記音声再生部の電源をオンにし、前記音声再生部に前記コンテンツの再生を指示する、
請求項１に記載の再生装置。
【請求項７】
映像および音声の少なくとも一方を出力する出力部と、
情報端末との間で直接の無線接続を確立する通信部と、
前記通信部が前記情報端末からアプリケーションの起動要求を前記無線接続を介して受信した場合は、前記出力部の電源がオフであれば前記出力部の電源をオンにする第一制御を行い、前記出力部に、前記起動要求により起動されたアプリケーションによる映像および音声の少なくとも一方の出力を指示する制御部と、を備え、
前記制御部は、前記第一制御を実行した後に、前記起動要求により起動された前記アプリケーションが終了したときは、前記出力部の電源をオフにする第二制御を行う、
出力装置。
【請求項８】
前記制御部は、
前記第一制御を実行してから、前記起動要求により起動された前記アプリケーションが終了するまでの間に、前記出力装置上でのユーザ操作を受け付けた場合は、前記第二制御を行わない、
請求項７に記載の出力装置。
【請求項９】
前記制御部は、
前記起動要求により起動された前記アプリケーションが、前記情報端末から受け付けたユーザ操作によって終了した場合は、前記出力部の電源をオフにする、
請求項７に記載の出力装置。
【発明の詳細な説明】
【技術分野】
【０００１】
本開示は、ネットワークを経由して他の機器からの指示を受け付ける再生装置および出力装置に関する。
【背景技術】
【０００２】
特許文献１は、無線接続が可能な複数の無線機器の間で直接の無線接続を確立する無線通信システムを開示する。特許文献１に開示された技術によれば、無線機器間での無線接続を容易に確立できる。【０００３】
しかしながら、例えば複数の無線機器が情報端末および再生装置である場合、従来技術では、情報端末から再生装置に再生要求を無線送信して再生装置に再生動作を実行させるためには、ユーザは、予め、情報端末と再生装置との間の直接の無線接続を確立し、情報端末と再生装置とのそれぞれの電源をオンにしておく必要がある。
【先行技術文献】
【特許文献】
【０００４】
【特許文献１】特開２００８−２１９３５８号公報
【発明の概要】
【０００５】
本開示は、情報端末上でのユーザの操作を簡略化できる再生装置および出力装置を提供する。
【０００６】
本開示の再生装置は、コンテンツを再生する再生部と、情報端末との間で直接の無線接続を確立する通信部と、制御部と、を備える。制御部は、通信部が情報端末からコンテンツの再生要求を無線接続を介して受信した場合は、その情報端末が予め許可された情報端末であるか否かを判定する。そして、制御部は、その情報端末は予め許可された情報端末であると判定した場合は、再生部の電源がオフであれば再生部の電源をオンにする第一制御を行い、再生部にそのコンテンツの再生を指示する。制御部は、その情報端末は予め許可された情報端末ではないと判定した場合は、第一制御を行わない。
【０００７】
また、本開示の出力装置は、映像および音声の少なくとも一方を出力する出力部と、情報端末との間で直接の無線接続を確立する通信部と、制御部と、を備える。制御部は、通信部が情報端末からアプリケーションの起動要求を無線接続を介して受信した場合は、出力部の電源がオフであれば出力部の電源をオンにする第一制御を行い、出力部に、起動要求により起動されたアプリケーションによる映像および音声の少なくとも一方の出力を指示する。また、制御部は、第一制御を実行した後に、起動要求により起動されたアプリケーションが終了したときは、出力部の電源をオフにする第二制御を行う。
【０００８】
本開示における再生装置および出力装置は、再生装置または出力装置を情報端末により操作するユーザの操作を簡略化できる。
【図面の簡単な説明】
【０００９】
【図１】図１は、実施の形態１における再生装置および情報端末の外観の一例を模式的に示す図である。
【図２】図２は、実施の形態１における再生装置および情報端末の一構成例を模式的に示すブロック図である。
【図３】図３は、実施の形態１における許可リストの一例を模式的に示す図である。
【図４】図４は、実施の形態１における再生装置で実行されるコンテンツの再生開始処理の動作の一例を示すフローチャートである。
【図５】図５は、実施の形態１における再生装置で実行される、許可端末から再生要求を受信したときの動作の一例を模式的に示す図である。
【図６】図６は、実施の形態１における再生装置で実行される、未許可端末から再生要求を受信したときの動作の一例を模式的に示す図である。
【図７】図７は、実施の形態１における再生装置で実行される記録処理の動作の一例を示すフローチャートである。
【図８】図８は、実施の形態１における再生装置で実行される、コンテンツの再生が終了した後の再生部の電源に対する制御の一例を示すフローチャートである。
【図９】図９は、実施の形態１の変形例１における再生装置で実行されるコンテンツ再生開始処理の動作の一例を示すフローチャートである。
【図１０】図１０は、実施の形態１の変形例１における再生装置で実行される、未許可端末から再生要求を受信したときの動作の一例を模式的に示す図である。
【図１１】図１１は、実施の形態１の変形例２における再生装置で実行される、情報端末から停止要求を受信したときの動作の一例を示すフローチャートである。
【図１２】図１２は、実施の形態２における再生装置および情報端末の一構成例を模式的に示すブロック図である。
【図１３】図１３は、実施の形態２における再生装置で実行されるコンテンツの再生開始処理の動作の一例を示すフローチャートである。
【図１４】図１４は、実施の形態３における出力装置および情報端末の一構成例を模式的に示すブロック図である。
【図１５】図１５は、実施の形態３における出力装置で実行される、アプリケーションの起動処理の動作の一例を示すフローチャートである。
【図１６】図１６は、実施の形態３における出力装置で実行される記録処理の動作の一例を示すフローチャートである。
【図１７】図１７は、実施の形態３における出力装置で実行される、アプリケーションが終了した後の出力部の電源に対する制御の一例を示すフローチャートである。
【図１８】図１８は、実施の形態３の変形例１における出力装置で実行される、情報端末から終了要求を受信したときの動作の一例を示すフローチャートである。
【発明を実施するための形態】
【００１０】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明等を省略する場合がある。これは、以下の説明が不必要に冗長になるのを避け、当業者の理解を容易にするためである。
【００１１】
なお、添付図面および以下の説明は、当業者が本開示を十分に理解するために提供されるのであって、これらにより特許請求の範囲に記載の主題を限定することは意図されていない。
【００１２】
なお、各図は、模式図であり、必ずしも厳密に図示されたものではない。また、各図において、実質的に同一の構成要素に対しては同一の符号を付しており、重複する説明は省略または簡略化される場合がある。
【００１３】
（実施の形態１）
以下、図１〜図１０を用いて、実施の形態１を説明する。
【００１４】
［１−１．構成］
図１は、実施の形態１における再生装置１００および情報端末２００の外観の一例を模式的に示す図である。
【００１５】
図１に示すように、再生装置１００と情報端末２００との間では、直接通信による通信接続が確立され、直接通信によって情報の送受信が行われる。例えば、再生装置１００は、情報端末２００から、再生装置１００の動作を制御するための制御情報を受信する。
【００１６】
図２は、実施の形態１における再生装置１００および情報端末２００の一構成例を模式的に示すブロック図である。
【００１７】
図２に示すように、再生装置１００は、再生部１１０と、通信部１２０と、制御部１３０と、を備える。また、再生装置１００は、さらに、記憶部１４０と、受付部１５０と、入力部１６０と、を備えていてもよい。
【００１８】
再生装置１００は、動画、静止画、音楽等のコンテンツを再生することが可能な装置である。本実施の形態では、再生装置１００はテレビジョンセット（以下、「ＴＶ」と略記する）であるが、再生装置１００は、レコーダー、またはセットトップボックス、等であってもよい。
【００１９】
再生部１１０は、コンテンツを再生し、再生した結果を出力する。再生部１１０が再生するコンテンツを示すコンテンツデータは、情報端末２００から取得されてもよいし、記憶部１４０から取得されてもよいし、またはネットワークを介して再生装置１００に接続されるサーバから取得されてもよい。つまり、再生部１１０は、情報端末２００からコンテンツデータ（映像データ、音声データ、等）を受信して、当該コンテンツデータで示されるコンテンツを再生してもよい。また、再生部１１０は、情報端末２００からコンテンツデータを識別するためのコンテンツ識別子を受信して、当該コンテンツ識別子により識別されるコンテンツデータを記憶部１４０またはサーバから取得して、取得したコンテンツデータで示されるコンテンツを再生してもよい。
【００２０】
また、再生部１１０は、動画や静止画等の映像データを再生することで映像信号を出力することができる映像再生機能と、音楽等の音声データを再生することで音声信号を出力することができる音声再生機能と、を有する。なお、再生部１１０は、映像再生機能および音楽再生機能のいずれか一方のみを有していてもよい。再生部１１０は、例えば、プロセッサ、プログラムが記憶されているメモリ、等により実現される。
【００２１】
また、再生部１１０は、映像データを再生することにより生成した映像信号を出力するだけでなく、当該映像信号から得られた映像を出力（表示）するモニタを含んでいてもよい。同様に、再生部１１０は、音声データを再生することにより生成した音声信号を出力するだけでなく、当該音声信号から得られた音声を出力するスピーカを含んでいてもよい。つまり、再生部１１０は、例えば、プロセッサおよびメモリだけでなく、さらに、映像を出力するディスプレイや、音声を出力するスピーカ（アンプを含む）等を備えていてもよい。
【００２２】
通信部１２０は、情報端末２００との間で直接の無線接続を確立する。具体的には、通信部１２０は、情報端末２００との間で、Ｗｉ−Ｆｉ  Ｄｉｒｅｃｔ（登録商標）による無線接続を確立する。通信部１２０は、例えば、プロセッサ、プログラムが記憶されているメモリ、Ｗｉ−Ｆｉ（登録商標）による通信が可能な通信モジュール、等により実現される。
【００２３】
制御部１３０は、通信部１２０により取得された制御情報（再生装置１００の動作を制御するための制御情報）や、後述する受付部１５０により受け付けられたユーザ操作による制御情報、等に応じて、再生部１１０を制御する処理部である。制御部１３０は、例えば、プロセッサ、プログラムが記憶されているメモリ、等により実現される。
【００２４】
制御部１３０は、情報端末２００が予め許可された情報端末であるか否かを判定する。
【００２５】
具体的には、制御部１３０は、通信部１２０が情報端末２００からコンテンツの再生要求をＷｉ−Ｆｉ  Ｄｉｒｅｃｔ（登録商標）により受信したか否かを判定する。そして、制御部１３０は、当該再生要求を受信した場合は、情報端末２００が、予め許可された情報端末であるか否かを、記憶部１４０に記憶されている許可リスト１４１（後述参照）を参照することにより判定する。このとき、制御部１３０は、情報端末２００から当該情報端末２００を示す端末情報を取得し、取得した端末情報が許可リスト１４１に含まれているか否かを判定する。そして、制御部１３０は、取得した端末情報が許可リスト１４１に含まれている場合は、当該情報端末２００は予め許可された情報端末である、と判定する。制御部１３０は、取得した端末情報が許可リスト１４１に含まれていない場合は、当該情報端末２００は予め許可された情報端末ではない、と判定する。
【００２６】
なお、制御部１３０は、情報端末２００が予め許可された情報端末であるか否かを、記憶部１４０に記憶されている許可リスト１４１を参照することにより判定しているが、本開示は何らこの動作に限定されない。例えば、制御部１３０は、情報端末２００との通信を許可したときに、鍵情報を、当該情報端末２００に付与してもよい。そして、情報端末２００が次に通信接続を確立するときに当該鍵情報を送信してきたら、制御部１３０は、鍵情報を送信してきた情報端末２００を予め許可された情報端末である、と判定してもよい。また、鍵情報は、再生装置により付与されたものでなくてもよく、例えば、ユーザにより入力されたＰＩＮ（Ｐｅｒｓｏｎａｌ  Ｉｄｅｎｔｉｆｉｃａｔｉｏｎ  Ｎｕｍｂｅｒ）コード等の情報でもよい。つまり、制御部１３０は、情報端末２００から受信したＰＩＮコードが予め定められたＰＩＮコードである場合に、当該情報端末２００は予め許可された情報端末である、と判定してもよい。
【００２７】
そして、制御部１３０は、情報端末２００は予め許可された情報端末である、と判定した場合であって、かつ再生部１１０の電源がオフである場合は、再生部１１０の電源をオンにする第一制御を行い、再生部１１０にコンテンツの再生を指示する。制御部１３０は、情報端末２００は予め許可された情報端末ではない、と判定した場合は、第一制御を行わない。具体的には、制御部１３０は、情報端末２００は予め許可された情報端末である、と判定した場合は、再生部１１０の電源がオフであるか否かを判定する。そして、制御部１３０は、再生部１１０の電源がオフである、と判定した場合は、再生部１１０の電源をオンにし、再生部１１０にコンテンツの再生を指示する。一方、制御部１３０は、情報端末２００は予め許可された情報端末ではない、と判定した場合は、何も制御を行わない。
【００２８】
ここで、再生部１１０の電源がオンである状態とは、例えば、映像を再生するためのプロセッサに電力が供給されている状態としてもよいし、さらに、ディスプレイに電力が供給されている状態としてもよい。また、例えば、音声を再生するためのプロセッサに電力が供給されている状態としてもよいし、さらに、スピーカ（アンプを含む）に電力が供給されている状態としてもよい。
【００２９】
また、制御部１３０は、第一制御を行った後で、再生要求により開始されたコンテンツの再生が終了したときは、再生部１１０の電源をオフにする第二制御を行ってもよい。
【００３０】
また、制御部１３０は、第一制御を行ってから、再生要求により開始されたコンテンツの再生が終了するまでの間に、再生装置１００上でのユーザ操作を受け付けた場合は、第二制御を行わなくてもよい。ここで、再生装置１００上でのユーザ操作とは、例えば、後述する入力部１６０を介して行われるユーザ操作、後述するリモコン３００を使用して行われるユーザ操作、等である。再生装置１００上でのユーザ操作は、後述する受付部１５０により受け付けられる。つまり、再生装置１００上でのユーザ操作には、情報端末２００から再生装置１００に対して行われるユーザ操作は含まれない。なお、ユーザ操作とは、ユーザが、入力部１６０またはリモコン３００等に対して入力操作を行うことで、再生装置１００の動作を制御することである。
【００３１】
記憶部１４０は、許可リスト１４１を記憶している。記憶部１４０は、例えば、不揮発性の半導体メモリや、ＨＤＤ（Ｈａｒｄ  Ｄｉｓｋ  Ｄｒｉｖｅ）等により実現される。
【００３２】
図３は、実施の形態１における許可リスト１４１の一例を模式的に示す図である。
【００３３】
図３に示すように、許可リスト１４１とは、過去に、通信部１２０との直接通信による通信接続がユーザにより許可された情報端末２００（以下、「許可端末」という）の端末情報が記録されたリストであり、許可端末を識別するためのリストである。許可リスト１４１には、許可端末の端末情報として、例えばＭＡＣアドレス（Ｍｅｄｉａ  Ａｃｃｅｓｓ  Ｃｏｎｔｒｏｌ  ａｄｄｒｅｓｓ）が記録されている。なお、端末情報は何らＭＡＣアドレスに限定されない。端末情報に他の識別情報が用いられてもよい。
【００３４】
なお、以下では、過去に通信部１２０との直接通信による通信接続がユーザに許可されておらず、許可リスト１４１に端末情報が記録されていない情報端末のことを、「未許可端末」という。
【００３５】
受付部１５０は、入力部１６０またはリモコン３００からユーザ操作にもとづき出力される入力信号を受け付け、受け付けた入力信号により特定される制御情報を制御部１３０に出力する。受付部１５０は、例えば、プロセッサ、プログラムが記憶されているメモリ、等により実現される。また、受付部１５０は、例えば、プロセッサおよびメモリだけでなく、さらに、リモコン３００からの赤外線信号を受信可能な受光モジュール、等により実現されてもよい。
【００３６】
入力部１６０は、ユーザにより入力操作が行われるボタン等の入力デバイスである。入力部１６０は、ユーザによりボタンが押されたときに、ボタンが押されたことを示す入力信号を受付部１５０に出力する。
【００３７】
リモコン３００は、ユーザにより入力操作が行われるボタン等の入力部（図示せず）を有する入力デバイスである。リモコン３００は、ユーザによりボタンが押されたときに、ボタンが押されたことを示す入力信号を受付部１５０に出力する。リモコン３００は、例えば、入力信号を赤外光に変換して受付部１５０に送信する。なお、リモコン３００は、入力部として、ボタンだけでなく、タッチパッドや、音声認識のためのマイク、等を有していてもよい。
【００３８】
情報端末２００は、入力部２１０と、表示部２２０と、制御部２３０と、通信部２４０と、を備える。情報端末２００は、本実施の形態ではスマートフォンである。なお、情報端末２００は、タブレット端末、ＰＣ（ＰｅｒｓｏｎａｌＣｏｍｐｕｔｅｒ）、等であってもよい。また、情報端末２００は、表示部２２０を備えていなくてもよい。
【００３９】
入力部２１０は、ユーザにより入力操作が行われる入力デバイスである。入力部２１０は、ユーザにより入力操作が行われたときに、当該入力操作を示す入力信号を生成する。入力部２１０は、例えば、タッチパネル、ボタン、マイク、等により実現される。入力部２１０は、ユーザにより、タッチパネルにタッチ入力がなされたとき、ジェスチャ入力等の入力操作がなされたとき、ボタンが押されたとき、またはユーザ操作のための音声をユーザが発したとき、等に、当該入力操作を示す入力信号を生成する。なお、ユーザ操作とは、これらの入力操作の総称である。
【００４０】
表示部２２０は、制御部２３０により出力された映像を表示する。表示部２２０は、例えば、液晶ディスプレイ、有機ＥＬディスプレイ、等により実現される。
【００４１】
制御部２３０は、アプリケーションを実行し、実行した結果を表示部２２０に出力する処理部である。制御部２３０は、例えば、プロセッサ、プログラムが記憶されているメモリ、等により実現される。
【００４２】
通信部２４０は、再生装置１００の通信部１２０との間で直接通信による通信接続を確立できる。具体的には、通信部２４０は、再生装置１００との間で、Ｗｉ−Ｆｉ  Ｄｉｒｅｃｔ（登録商標）による通信接続を確立できる。通信部２４０は、例えば、プロセッサ、プログラムが記憶されているメモリ、Ｗｉ−Ｆｉ（登録商標）による通信が可能な通信モジュール、等により実現される。
【００４３】
［１−２．動作］
以上のように構成された再生装置１００について、その動作を以下に説明する。
【００４４】
再生装置１００は、情報端末２００からコンテンツの再生要求を受信した場合は、当該再生要求に対応したコンテンツの再生を開始する処理（以下、「再生開始処理」という）を行う。以下、図４を用いて、再生装置１００で行われる再生開始処理の詳細について説明する。なお、本実施の形態では、コンテンツの再生要求を、単に「再生要求」と略記することもある。
【００４５】
図４は、実施の形態１における再生装置１００で実行されるコンテンツの再生開始処理の動作の一例を示すフローチャートである。
【００４６】
まず、制御部１３０は、通信部１２０が情報端末２００からコンテンツの再生要求を受信したか否かを判定する（ステップＳ１１）。
【００４７】
具体的には、制御部１３０は、通信部１２０が、Ｗｉ−Ｆｉ  Ｄｉｒｅｃｔ（登録商標）による通信接続が確立されている情報端末２００から、コンテンツの再生要求を受信したか否かを判定する。なお、コンテンツの再生要求には、特定のコンテンツを指定する情報が含まれていてもよい。また、本実施の形態では、コンテンツの再生要求として、映像の再生要求を受信した場合を例に説明する。しかし、コンテンツの再生要求は、映像の再生要求に限定されるものではなく、音声の再生要求等であってもよい。
【００４８】
次に、制御部１３０は、ステップＳ１１において、通信部１２０が情報端末２００からコンテンツの再生要求を受信した、と判定した場合（ステップＳ１１でＹｅｓ）は、当該再生要求を送信した情報端末２００が予め許可された情報端末であるか否かを判定する（ステップＳ１２）。
【００４９】
一方、制御部１３０は、ステップＳ１１において、通信部１２０は情報端末２００からコンテンツの再生要求を受信していない、と判定した場合（ステップＳ１１でＮｏ）は、ステップＳ１１の判定を繰り返す。つまり、制御部１３０は、通信部１２０が情報端末２００からコンテンツの再生要求を受信するまで待機する。
【００５０】
制御部１３０は、ステップＳ１２において、コンテンツの再生要求を送信した情報端末２００は予め許可された情報端末である、と判定した場合（ステップＳ１２でＹｅｓ）は、再生部１１０の電源がオンであるか否かを判定する（ステップＳ１３）。
【００５１】
一方、制御部１３０は、ステップＳ１２において、コンテンツの再生要求を送信した情報端末２００は予め許可された情報端末ではない、と判定した場合（ステップＳ１２でＮｏ）は、ステップＳ１１の判定に戻る。
【００５２】
制御部１３０は、ステップＳ１３において、再生部１１０の電源はオンである、と判定した場合（ステップＳ１３でＹｅｓ）は、処理をステップＳ１６に進める。
【００５３】
制御部１３０は、ステップＳ１３において、再生部１１０の電源はオンではない、と判定した場合（ステップＳ１３でＮｏ）は、再生部１１０の電源をオンにする第一制御を行う（ステップＳ１４）。
【００５４】
そして、制御部１３０は、第一フラグの値を「０」から「１」に変更する（ステップＳ１５）。
【００５５】
なお、第一フラグは、許可端末から送信されてきたコンテンツの再生要求により再生部１１０の電源がオンにされたこと（第一制御が行われたこと）を示すフラグであり、許可端末から送信されてきたコンテンツの再生要求により再生部１１０の電源がオフからオンにされたときに「１」となる。したがって、再生部１１０の電源がオフのとき、第一フラグは「０」である。また、通信部１２０が許可端末からコンテンツの再生要求を受信する以前から再生部１１０の電源がすでにオンになっているときも、第一フラグは「０」である。したがって、ステップＳ１３でＹｅｓのとき、第一フラグは「０」である。第一フラグは、例えば、記憶部１４０に記憶されている。
【００５６】
次に、制御部１３０は、再生部１１０に、再生要求に対応したコンテンツの再生を指示する（ステップＳ１６）。その指示を受け付けた再生部１１０は、当該コンテンツの再生を開始する。
【００５７】
再生装置１００では、コンテンツの再生開始処理が行われることにより、具体的には、図５および図６で示すような動作が行われる。
【００５８】
まず、再生装置１００が許可端末からコンテンツの再生要求を受信したときに再生装置１００で行われる再生開始処理について、図５を用いて具体的に説明する。
【００５９】
図５は、実施の形態１における再生装置１００で実行される、許可端末から再生要求を受信したときの動作の一例を模式的に示す図である。
【００６０】
図５の上図に示すように、許可端末である情報端末２００ａからコンテンツ（図５では映像）の再生要求がＷｉ−Ｆｉ  Ｄｉｒｅｃｔ（登録商標）により再生装置１００に送信されたとする。その場合、再生装置１００では、当該再生要求が受信され（ステップＳ１１）、情報端末２００ａが許可端末であるか否かが判定される（ステップＳ１２）。
【００６１】
図５に示す例では、情報端末２００ａは許可端末であり（ステップＳ１２でＹｅｓ）、再生部１１０の電源（ディスプレイの電源）はオフである（ステップＳ１３でＮｏ）。このため、図５の下図に示すように、再生装置１００では、再生部１１０の電源がオンにされ（ステップＳ１４）、再生部１１０のディスプレイに再生要求に応じた映像が再生される（ステップＳ１６）。
【００６２】
次に、再生装置１００が未許可端末からコンテンツの再生要求を受信したときに再生装置１００で行われる再生開始処理について、図６を用いて具体的に説明する。
【００６３】
図６は、実施の形態１における再生装置１００で実行される、未許可端末から再生要求を受信したときの動作の一例を模式的に示す図である。
【００６４】
図６の上図に示すように、未許可端末である情報端末２００ｂからコンテンツ（図６では映像）の再生要求がＷｉ−Ｆｉ  Ｄｉｒｅｃｔ（登録商標）により再生装置１００に送信されたとする。その場合、再生装置１００では、当該再生要求が受信され（ステップＳ１１）、情報端末２００ｂが許可端末であるか否かが判定される（ステップＳ１２）。
【００６５】
図６に示す例では、情報端末２００ｂは未許可端末である（ステップＳ１２でＮｏ）。このため、図６の下図に示すように、再生装置１００では、再生部１１０の電源（ディスプレイの電源）はオフのままである。
【００６６】
このように、再生装置１００では、情報端末２００が許可端末であるか未許可端末であるかに応じて、再生部１１０の電源をオンにするかオフのままにしておくかが決定される。
【００６７】
再生装置１００は、コンテンツの再生中に再生装置１００上でのユーザ操作を受付部１５０が受け付けた場合は、当該ユーザ操作を受け付けたことを記録する記録処理を行う。以下、図７を用いて記録処理の詳細について説明する。
【００６８】
なお、情報端末２００上でユーザ操作を行うユーザと、再生装置１００上でユーザ操作を行うユーザとは、同一ユーザであってもよく、互いに異なるユーザであってもよい。
【００６９】
図７は、実施の形態１における再生装置１００で実行される記録処理の動作の一例を示すフローチャートである。なお、記録処理は、図４に示した再生開始処理が行われた後で開始される。
【００７０】
まず、制御部１３０は、再生装置１００上でのユーザ操作を受付部１５０が受け付けたか否かを判定する（ステップＳ２１）。
【００７１】
制御部１３０は、ステップＳ２１において、再生装置１００上でのユーザ操作を受付部１５０が受け付けた、と判定した場合（ステップＳ２１でＹｅｓ）は、第二フラグの値を「０」から「１」に変更する（ステップＳ２２）。
【００７２】
なお、第二フラグは、再生装置１００上でのユーザ操作を受付部１５０が受け付けたことを示すフラグである。第二フラグは、例えば、記憶部１４０に記憶される。
【００７３】
一方、制御部１３０は、ステップＳ２１において、再生装置１００上でのユーザ操作を受付部１５０は受け付けていない、と判定した場合（ステップＳ２１でＮｏ）は、ステップＳ２１の判定を繰り返す。
【００７４】
再生装置１００では、コンテンツの再生が終了した後は、第一フラグの値、および、第二フラグの値に応じて、再生部１１０の電源の制御が行われる。以下、図８を用いて再生部１１０の電源に対する制御の詳細について説明する。
【００７５】
図８は、実施の形態１における再生装置１００で実行される、コンテンツの再生が終了した後の再生部１１０の電源に対する制御の一例を示すフローチャートである。
【００７６】
まず、制御部１３０は、再生部１１０によるコンテンツの再生が終了したか否かを判定する（ステップＳ３１）。
【００７７】
次に、制御部１３０は、ステップＳ３１において、再生部１１０によるコンテンツの再生は終了した、と判定した場合（ステップＳ３１でＹｅｓ）は、第一フラグの値が「１」であるか否かを判定する（ステップＳ３２）。
【００７８】
一方、制御部１３０は、ステップＳ３１において、再生部１１０によるコンテンツの再生は終了していない、と判定した場合（ステップＳ３１でＮｏ）は、ステップＳ３１の判定を繰り返す。つまり、制御部１３０は、再生部１１０によるコンテンツの再生が終了するまで待機する。
【００７９】
制御部１３０は、ステップＳ３２において、第一フラグの値は「１」である、と判定した場合（ステップＳ３２でＹｅｓ）は、第二フラグの値が「１」であるか否かを判定する（ステップＳ３３）。
【００８０】
すなわち、制御部１３０は、許可端末から送信されてきたコンテンツの再生要求により再生部１１０の電源がオフからオンにされ、その後、再生部１１０によるコンテンツの再生が終了したときは、再生部１１０の電源がオンにされてからコンテンツの再生が終了するまでの間に、受付部１５０が再生装置１００上でのユーザ操作を受け付けたか否かを判定する。
【００８１】
制御部１３０は、ステップＳ３２において第一フラグの値は「０」である、と判定した場合（ステップＳ３２でＮｏ）、または、ステップＳ３３において第二フラグの値は「１」である、と判定した場合（ステップＳ３３でＹｅｓ）は、再生部１１０の電源をオフにしない（ステップＳ３４）。つまり、制御部１３０は、再生部１１０の電源をオンのままにする。
【００８２】
制御部１３０は、ステップＳ３３において、第二フラグの値は「０」である、と判定した場合（ステップＳ３３でＮｏ）は、再生部１１０の電源をオフにする第二制御を行う（ステップＳ３５）。
【００８３】
以上のように、制御部１３０は、第一フラグの値が「１」であり、かつ、第二フラグの値が「０」である場合は、コンテンツの再生終了後に、再生部１１０の電源をオフにする。つまり、制御部１３０は、許可端末から送信されてきたコンテンツの再生要求により再生部１１０の電源がオフからオンにされ、かつ、コンテンツの再生中に、受付部１５０が再生装置１００上でのユーザ操作を受け付けていない場合は、コンテンツの再生が終了した後に、再生部１１０の電源をオンからオフにする。
【００８４】
一方、制御部１３０は、第一フラグの値が「０」である場合、または、第二フラグの値が「１」である場合は、コンテンツの再生終了後も、再生部１１０の電源をオンのままにする。つまり、制御部１３０は、再生部１１０の電源のオンが許可端末からの再生要求により行われていない場合（すなわち、通信部１２０が許可端末からコンテンツの再生要求を受信する以前から再生部１１０の電源がオンになっている場合）、または、コンテンツの再生が終了する前に、受付部１５０が再生装置１００上でのユーザ操作を受け付けた場合は、コンテンツの再生が終了した後も、再生部１１０の電源をオンのままにする。
【００８５】
［１−３．効果等］
以上のように、本実施の形態において、再生装置は、コンテンツを再生する再生部と、情報端末との間で直接の無線接続を確立する通信部と、制御部と、を備える。制御部は、通信部が情報端末からコンテンツの再生要求を無線接続を介して受信した場合は、その情報端末が予め許可された情報端末であるか否かを判定する。そして、制御部は、その情報端末は予め許可された情報端末であると判定した場合は、再生部の電源がオフであれば再生部の電源をオンにする第一制御を行い、再生部にそのコンテンツの再生を指示する。制御部は、その情報端末は予め許可された情報端末ではないと判定した場合は、第一制御を行わない。
【００８６】
なお、再生装置１００は再生装置の一例である。再生部１１０は再生部の一例である。通信部１２０は通信部の一例である。制御部１３０は制御部の一例である。情報端末２００は情報端末の一例である。Ｗｉ−Ｆｉ  Ｄｉｒｅｃｔ（登録商標）は、再生装置と情報端末との間の直接の無線接続の一例である。情報端末２００ａは予め許可された情報端末の一例である。情報端末２００ｂは予め許可されていない情報端末の一例である。
【００８７】
例えば、実施の形態１に示した再生装置１００の構成例では、再生装置１００は、再生部１１０と、通信部１２０と、制御部１３０と、を備える。再生部１１０は、コンテンツを再生する。通信部１２０は、再生部１１０が、情報端末２００からの再生要求によるコンテンツを再生することで、情報端末２００との間で直接の無線接続を確立する。制御部１３０は、通信部１２０が情報端末２００からコンテンツの再生要求を無線接続を介して受信した場合は、情報端末２００が予め許可された情報端末であるか否かを判定する。そして、制御部１３０は、情報端末２００は予め許可された情報端末であると判定した場合は、再生部１１０の電源がオフであれば再生部１１０の電源をオンにする第一制御を行い、再生部１１０にそのコンテンツの再生を指示する。制御部１３０は、情報端末２００は予め許可された情報端末ではないと判定した場合は、第一制御を行わない。
【００８８】
これにより、再生装置１００にコンテンツの再生要求を送信した情報端末２００が予め許可された情報端末であれば、再生装置１００では、再生装置１００上でユーザ操作が行われておらず、かつ、再生部１１０の電源がオフであったとしても、情報端末２００からの再生要求を受信するだけで、再生部１１０の電源がオンになり、その再生要求に応じたコンテンツが再生部１１０で再生される。すなわち、情報端末２００において、再生装置１００との無線接続のためのユーザ操作が行われていなくても、情報端末２００から再生装置１００にコンテンツの再生要求を送信するためのユーザ操作が情報端末２００で行われるだけで、情報端末２００と再生装置１００との無線接続が確立され、再生部１１０の電源が自動的にオンし、情報端末２００からの無線通信によるコンテンツの再生要求に対応したコンテンツが再生装置１００で実行される。したがって、本実施の形態によれば、情報端末２００上で再生装置１００を操作するときのユーザ操作を簡略化できる。
【００８９】
また、制御部１３０は、直接の無線接続（Ｗｉ−Ｆｉ  Ｄｉｒｅｃｔ（登録商標）による無線接続）においてコンテンツの再生要求を受信した場合は、当該再生要求を送信した情報端末２００が予め許可された情報端末であれば、当該再生要求に基づいて再生部１１０の電源をオンにし、当該コンテンツの再生を再生部１１０に行わせる。このように、本実施の形態の再生装置１００では、電源オンのコマンドが規定されていないプロトコルを実装している汎用的な情報端末からの再生要求であっても、予め許可された情報端末であることを判定することで、情報端末２００との相互接続性を確保できる。そして、再生部１１０の電源が自動的にオンになり、当該コンテンツが再生部１１０で再生される。
【００９０】
また、制御部１３０は、情報端末２００が予め許可された情報端末であるか否かを判定し、受信した再生要求が、予め許可された情報端末ではない情報端末２００ｂからの再生要求である場合には、第一制御を行わない（つまり、再生部１１０の電源をオンにしない）。そのため、再生装置１００では、許可されていない情報端末からの再生要求で再生部１１０の電源がオンにされることが防止される。
【００９１】
また、再生装置において、制御部は、第一制御を実行した後に、コンテンツの再生要求により開始されたコンテンツの再生が終了したときは、再生部の電源をオフにする第二制御を行ってもよい。
【００９２】
例えば、実施の形態１に示した再生装置１００の動作例では、制御部１３０は、第一制御を実行した後に、コンテンツの再生要求により開始されたコンテンツの再生が終了したときは、再生部１１０の電源をオフにする第二制御を行う。
【００９３】
これにより、再生装置１００では、制御部１３０により第二制御が行われることで自動的に再生部１１０の電源がオフになるため、ユーザによる電源オフのための操作が何ら行われなくても、コンテンツの再生が終了した後に、再生部１１０の電源を元のオフの状態に自動的に戻すことができる。
【００９４】
また、再生装置において、制御部は、第一制御を実行してから、コンテンツの再生要求により開始されたコンテンツの再生が終了するまでの間に、再生装置上でのユーザ操作を受け付けた場合は、第二制御を行わなくてもよい。
【００９５】
例えば、実施の形態１に示した再生装置１００の動作例では、制御部１３０は、第一制御を実行してから、コンテンツの再生要求により開始されたコンテンツの再生が終了するまでの間に、再生装置１００上でのユーザ操作を受け付けた場合は、第二制御を行わない。つまり、制御部１３０は、コンテンツの再生要求により開始されたコンテンツの再生が終了するまでの間に、再生装置１００上でのユーザ操作を受け付けた場合は、コンテンツの再生が終了した後に、自動的に再生部１１０の電源をオフにする制御を行わず、電源がオンの状態を継続する。このため、再生装置１００上でユーザ操作を行ったユーザは、電源をオンに維持するための操作を何ら行わなくても、コンテンツの再生終了後、再生装置１００を継続して使用することができる。
【００９６】
［１−４．変形例１］
次に、図９を用いて、実施の形態１の変形例１を説明する。
【００９７】
実施の形態１における再生装置１００の再生開始処理では、制御部１３０は、未許可端末である情報端末２００からの再生要求を受信した場合に、再生要求を受信したか否かの判定を繰り返し行う動作例を説明した。しかし、本開示は何らこの動作に限定されない。制御部１３０は、例えば、未許可端末である情報端末２００からの再生要求を受信した場合に、無線接続を認証する認証処理を開始してもよい。
【００９８】
以下、再生装置１００が未許可端末から再生要求を受信した場合に制御部１３０で行われる認証処理について図９を用いて説明する。なお、実施の形態１の変形例１では、制御部１３０が、実施の形態１で説明した動作にさらに認証処理を行う点が実施の形態１の再生装置１００と異なる。しかし、その他の構成は実施の形態１の再生装置１００と実質的に同じである。そのため、変形例１における再生装置１００の構成についての説明は、省略する。
【００９９】
図９は、実施の形態１の変形例１における再生装置１００で実行されるコンテンツの再生開始処理の動作の一例を示すフローチャートである。
【０１００】
実施の形態１の変形例１の再生開始処理は、実施の形態１で説明した再生開始処理とは、ステップＳ１２でＮｏと判定された後の処理が異なる。しかし、その他の処理は実質的に同じであるため、以下では、実施の形態１で説明した動作と異なる点を説明し、実質的に同じ処理については説明を省略する。
【０１０１】
図９に示す実施の形態１の変形例１の再生開始処理は、実施の形態１の再生開始処理と比較して、ステップＳ１１〜ステップＳ１６の処理は実質的に同じである。しかし、変形例１の再生開始処理は、ステップＳ１２においてＮｏと判定された場合に、さらに、ステップＳ１７〜ステップＳ２０の処理（認証処理）が行われる点が、実施の形態１の再生開始処理と異なる。
【０１０２】
ステップＳ１２においてＮｏと判定された場合、制御部１３０は、再生部１１０の電源がオンであるか否かを判定する（ステップＳ１７）。
【０１０３】
制御部１３０は、ステップＳ１７において、再生部１１０の電源はオフである、と判定した場合（ステップＳ１７でＮｏ）は、処理をステップＳ１１に戻す。
【０１０４】
制御部１３０は、ステップＳ１７において、再生部１１０の電源はオンである、と判定した場合（ステップＳ１７でＹｅｓ）は、未許可端末からの再生要求を受け付けるか否かをユーザに確認するための認証情報を、再生部１１０に出力させる（ステップＳ１８）。
【０１０５】
制御部１３０は、ステップＳ１８において、未許可端末からの再生要求を受け付けるか否かをユーザに確認するための認証画面１１５（後述の図１０参照）を、再生部１１０のディスプレイに表示させる。なお、制御部１３０は、ステップＳ１８において、ディスプレイに認証画面１１５を表示させる代わりに、未許可端末からの再生要求を受け付けるか否かをユーザに確認するため音声をスピーカから出力させてもよい。あるいは、制御部１３０はそれらの両方を実行してもよい。
【０１０６】
次に、制御部１３０は、未許可端末からの再生要求を受け付けることを示す入力（ユーザによる入力、以下、「ユーザ入力」ともいう）を受付部１５０が受け付けたか否かを判定する（ステップＳ１９）。
【０１０７】
ステップＳ１９では、制御部１３０は、入力部１６０またはリモコン３００により認証画面１１５の「はい」が選択されたことを示すユーザ入力を、受付部１５０が受け付けたか否かを判定する。
【０１０８】
制御部１３０は、ステップＳ１９において、未許可端末からの再生要求を受け付けることを示すユーザ入力を受付部１５０が受け付けた、と判定した場合（ステップＳ１９でＹｅｓ）は、当該情報端末２００から取得したＭＡＣアドレスを許可リスト１４１に登録し（ステップＳ２０）、処理をステップＳ１５に進める。
【０１０９】
一方、制御部１３０は、ステップＳ１９において、未許可端末からの再生要求を受け付けることを示すユーザ入力を受付部１５０が受け付けていない、と判定した場合（ステップＳ１９でＮｏ）は、処理をステップＳ１１に戻す。
【０１１０】
なお、制御部１３０は、ステップＳ１９において、入力部１６０またはリモコン３００により認証画面１１５の「いいえ」が選択されたことを示すユーザ入力を受付部１５０が受け付けた場合に、ステップＳ１９でＮｏと判定してもよい。
【０１１１】
次に、実施の形態１の変形例１における再生装置１００が未許可端末から再生要求を受信したときに制御部１３０で行われる再生開始処理について、図１０を用いて具体的に説明する。
【０１１２】
図１０は、実施の形態１の変形例１における再生装置１００で実行される、未許可端末から再生要求を受信したときの動作の一例を模式的に示す図である。
【０１１３】
図１０の上図に示すように、未許可端末である情報端末２００ｂからコンテンツ（図１０では映像）の再生要求がＷｉ−Ｆｉ  Ｄｉｒｅｃｔ（登録商標）により再生装置１００に送信されたとする。その場合、再生装置１００では、当該再生要求が受信され（ステップＳ１１）、情報端末２００ｂが許可端末であるか否かが判定される（ステップＳ１２）。
【０１１４】
図１０に示す例では、情報端末２００ｂは未許可端末であり（ステップＳ１２でＮｏ）、再生部１１０の電源（ディスプレイの電源）はオンである（ステップＳ１７でＹｅｓ）。このため、図１０の下図に示すように、再生装置１００では、再生部１１０のディスプレイに認証画面１１５が表示される（ステップＳ１８）。
【０１１５】
ステップＳ１８の後で、認証画面１１５の「はい」を選択したことを示すユーザ入力を受付部１５０が受け付けた場合（ステップＳ１９でＹｅｓ）は、許可リスト１４１に情報端末２００ｂのＭＡＣアドレスが登録され（ステップＳ２０）、情報端末２００ｂからの再生要求に応じたコンテンツの映像が再生部１１０で再生される（ステップＳ１６）。
【０１１６】
ステップＳ１８の後で、認証画面１１５の「いいえ」を選択したことを示すユーザ入力を受付部１５０が受け付けた場合（ステップＳ１９でＮｏ）は、再生部１１０でコンテンツは再生されず、処理はステップＳ１１に戻る。
【０１１７】
このように、変形例１における再生装置１００では、ステップＳ１２の判定において情報端末２００は未許可端末であると判定された場合であっても、次に認証処理が行われる。そして、その認証処理において、その未許可端末がユーザに許可されれば、変形例１における再生装置１００では、未許可端末の端末情報が許可リストに登録され、その未許可端末からの再生要求に対応したコンテンツが再生部１１０で再生される。
【０１１８】
［１−５．変形例２］
次に、図１１を用いて、実施の形態１の変形例２を説明する。
【０１１９】
再生装置の制御部は、再生要求により開始されたコンテンツの再生が、情報端末から受け付けたユーザ操作によって終了した場合は、再生部の電源をオフにしてもよい。
【０１２０】
例えば、実施の形態１の構成例では、再生装置１００において、制御部１３０は、再生要求により開始されたコンテンツの再生が、情報端末２００から受け付けたユーザ操作によって終了した場合は、再生部１１０の電源をオフにしてもよい。
【０１２１】
具体的には、制御部１３０は、情報端末２００からの再生要求により再生部１１０の電源をオンにして再生部１１０でのコンテンツの再生を開始した後で、再生部１１０がコンテンツを再生している間に、情報端末２００からコンテンツの再生の停止要求を受付部１５０が受け付けた場合は、再生部１１０の電源をオフにしてもよい。この場合の処理について、図１１を用いて説明する。なお、実施の形態１の変形例２における再生装置１００は、実施の形態１の再生装置１００と実質的に同じであるので、詳細な説明は省略する。
【０１２２】
図１１は、実施の形態１の変形例２における再生装置１００で実行される、情報端末２００から停止要求を受信したときの動作の一例を示すフローチャートである。
【０１２３】
まず、制御部１３０は、情報端末２００からの停止要求を受付部１５０が受け付けたか否かを判定する（ステップＳ４１）。
【０１２４】
制御部１３０は、ステップＳ４１において、情報端末２００からの停止要求を受付部１５０が受け付けた、と判定した場合（ステップＳ４１でＹｅｓ）は、コンテンツの再生中であるか否かを判定する（ステップＳ４２）。
【０１２５】
一方、制御部１３０は、ステップＳ４１において、情報端末２００からの停止要求を受付部１５０は受け付けていない、と判定した場合（ステップＳ４１でＮｏ）は、ステップＳ４１の判定を繰り返す。
【０１２６】
制御部１３０は、ステップＳ４２において、コンテンツの再生中ではない、と判定した場合（ステップＳ４２でＮｏ）は、ステップＳ４２の判定を繰り返す。
【０１２７】
制御部１３０は、ステップＳ４２において、コンテンツの再生中である、と判定した場合（ステップＳ４２でＹｅｓ）は、コンテンツの再生を停止し（ステップＳ４３）、再生部１１０の電源をオフにする（ステップＳ４４）。
【０１２８】
このように、実施の形態１の変形例２における再生装置１００では、情報端末２００から再生装置１００を操作するユーザは、再生部１１０の電源をオフにするためのユーザ操作を行わずとも、情報端末２００を用いてコンテンツの停止要求を行うだけで、再生部１１０の電源をオフにできる。したがって、ユーザ操作を簡略化できる。
【０１２９】
［１−６．変形例３］
実施の形態１では、再生装置１００が、許可端末である情報端末２００からコンテンツの再生要求を受信した場合に、再生開始処理を行う動作例を説明した。しかし、本開示は何らこの動作例に限定されない。例えば、再生装置１００は、情報端末２００からコンテンツの再生要求を受信する代わりに、情報端末２００から通信接続の要求を受信した場合に、再生開始処理を行ってもよい。
【０１３０】
（実施の形態２）
次に、図１２および図１３を用いて、実施の形態２を説明する。
【０１３１】
［２−１．構成］
図１２は、実施の形態２における再生装置１００ａおよび情報端末２００の一構成例を模式的に示すブロック図である。
【０１３２】
実施の形態２に示す情報端末２００は、実施の形態１に示した情報端末２００と実質的に同じ構成である。また、実施の形態２に示す再生装置１００ａは、実施の形態１に示した再生装置１００と実質的に同じ構成である。ただし、実施の形態２の再生装置１００ａには、実施の形態１に示した再生装置１００と比較して、再生部１１０ａの構成に、再生装置１００の再生部１１０と異なる点がある。また、再生装置１００ａの制御部１３０ａが行う再生開始処理に、再生装置１００で制御部１３０が行う再生開始処理と異なる点がある。
【０１３３】
以下、実施の形態２の再生装置１００ａについて説明する。ただし、以下では、実施の形態１に示した再生装置１００と異なる点を主に説明する。
【０１３４】
再生部１１０ａは、映像を再生する映像再生部１１１と、音声を再生する音声再生部１１２と、を有する。再生部１１０ａでは、映像再生部１１１の電源と、音声再生部１１２の電源とを、互いに独立してオンすることができる。ただし、再生部１１０ａの電源がオフのときは、映像再生部１１１の電源と、音声再生部１１２の電源とは、ともにオフである。
【０１３５】
映像再生部１１１は、動画、静止画、等の映像データを再生することで映像信号を出力する。映像再生部１１１は、例えば、プロセッサ、プログラムが記憶されているメモリ、等により実現される。また、映像再生部１１１は、映像データを再生することにより生成した映像信号を出力するだけでなく、当該映像信号から得られた映像を出力（表示）するモニタを含んでいてもよい。つまり、映像再生部１１１は、例えば、プロセッサおよびメモリだけでなく、さらに、映像を出力するディスプレイ等を備えていてもよい。
【０１３６】
音声再生部１１２は、音楽等の音声データを再生することで音声信号を出力する。音声再生部１１２は、例えば、プロセッサ、プログラムが記憶されているメモリ、等により実現される。また、音声再生部１１２は、音声データを再生することにより生成した音声信号を出力するだけでなく、当該音声信号から得られた音声を出力するスピーカを含んでいてもよい。つまり、音声再生部１１２は、例えば、プロセッサおよびメモリだけでなく、さらに、音声を出力するスピーカ（アンプを含む）等を備えていてもよい。
【０１３７】
制御部１３０ａは、情報端末２００から送信されてきた再生要求に対応するコンテンツの種類を判定する。そして、制御部１３０ａは、再生部１１０ａの電源がオフである場合は、コンテンツの種類を判定するその判定の結果に応じて、映像再生部１１１の電源と音声再生部１１２の電源とを個別に制御する。
【０１３８】
具体的には、制御部１３０ａは、そのコンテンツの種類が映像である、と判定した場合であって、かつ再生部１１０ａの電源がオフである場合は、音声再生部１１２の電源をオンにせずに映像再生部１１１の電源をオンにし、映像再生部１１１にそのコンテンツの再生を指示する。
【０１３９】
また、制御部１３０ａは、そのコンテンツの種類が音声である、と判定した場合であって、かつ再生部１１０ａの電源がオフである場合は、映像再生部１１１の電源をオンにせずに音声再生部１１２の電源をオンにし、音声再生部１１２にそのコンテンツの再生を指示する。
【０１４０】
［２−２．動作］
以上のように構成された再生装置１００ａについて、その動作を以下に説明する。
【０１４１】
再生装置１００ａは、情報端末２００からコンテンツの再生要求を受信した場合は、当該再生要求に対応したコンテンツの再生開始処理を行う。以下、図１３を用いて、再生装置１００ａで行われる再生開始処理の詳細について説明する。
【０１４２】
図１３は、実施の形態２における再生装置１００ａで実行されるコンテンツの再生開始処理の動作の一例を示すフローチャートである。
【０１４３】
なお、実施の形態２の再生開始処理は、実施の形態１に示した再生開始処理と実質的に同じであるが、一部の処理に異なる点がある。
【０１４４】
具体的には、実施の形態２の再生開始処理は、実施の形態１に示した再生開始処理と比較して、ステップＳ１１およびステップＳ１２の処理は実質的に同じである。しかし、ステップＳ１２でＹｅｓと判定された場合に、実施の形態１に示した再生開始処理で実行されるステップＳ１３〜ステップＳ１６の処理に代えて、ステップＳ５１〜ステップＳ５７の処理が実行される。実施の形態２の再生開始処理は、この点が、実施の形態１に示した再生開始処理と異なる。
【０１４５】
以下では、実施の形態１に示した再生開始処理と異なる点を説明し、実質的に同じ処理については説明を省略する。
【０１４６】
ステップＳ１２においてＹｅｓと判定された場合、制御部１３０ａは、情報端末２００から送信されてきた再生要求に対応するコンテンツの種類が映像であるか音声であるかを判定する（ステップＳ５１）。
【０１４７】
制御部１３０ａは、ステップＳ５１において、当該コンテンツの種類は映像である、と判定した場合（ステップＳ５１で映像）は、再生部１１０ａの電源がオンであるか否かを判定する（ステップＳ５２）。
【０１４８】
制御部１３０ａは、ステップＳ５２において、再生部１１０ａの電源はオフである、と判定した場合（ステップＳ５２でＮｏ）は、音声再生部１１２の電源をオンにせずに映像再生部１１１の電源をオンにして（ステップＳ５３）、映像再生部１１１に当該コンテンツの再生を指示する（ステップＳ５４）。
【０１４９】
制御部１３０ａは、ステップＳ５２において、再生部１１０ａの電源はオンである、と判定した場合（ステップＳ５２でＹｅｓ）は、映像再生部１１１に当該コンテンツの再生を指示する（ステップＳ５４）。
【０１５０】
ステップＳ５４で制御部１３０ａからの指示を受け付けた映像再生部１１１は、当該コンテンツの再生を開始する。
【０１５１】
制御部１３０ａは、ステップＳ５１において、当該コンテンツの種類は音声である、と判定した場合（ステップＳ５１で音声）は、再生部１１０ａの電源がオンであるか否かを判定する（ステップＳ５５）。
【０１５２】
制御部１３０ａは、ステップＳ５５において、再生部１１０ａの電源はオフである、と判定した場合（ステップＳ５５でＮｏ）は、映像再生部１１１の電源をオンにせずに音声再生部１１２の電源をオンにして（ステップＳ５６）、音声再生部１１２に当該コンテンツの再生を指示する（ステップＳ５７）。
【０１５３】
制御部１３０ａは、ステップＳ５５において、再生部１１０ａの電源はオンである、と判定した場合（ステップＳ５５でＹｅｓ）は、音声再生部１１２に当該コンテンツの再生を指示する（ステップＳ５７）。
【０１５４】
ステップＳ５７で制御部１３０ａからの指示を受け付けた音声再生部１１２は、当該コンテンツの再生を開始する。
【０１５５】
［２−３．効果等］
以上のように、本実施の形態において、再生装置の再生部は、映像を再生する映像再生部と、音声を再生する音声再生部と、を有する。再生装置の制御部は、再生要求の対象となるコンテンツの種類を判定する。そして、制御部は、再生部の電源がオフである場合は、当該判定の結果に応じて、映像再生部の電源と音声再生部の電源とを個別に制御する。
【０１５６】
なお、再生装置１００ａは再生装置の一例である。再生部１１０ａは再生部の一例である。映像再生部１１１は映像再生部の一例である。音声再生部１１２は音声再生部の一例である。
【０１５７】
例えば、実施の形態２に示した再生装置１００ａの構成例では、再生装置１００ａの再生部１１０ａは、映像を再生する映像再生部１１１と、音声を再生する音声再生部１１２と、を有する。再生装置１００ａの制御部１３０ａは、再生要求の対象となるコンテンツの種類を判定する。そして、制御部１３０ａは、再生部１１０ａの電源がオフである場合は、当該判定の結果に応じて、映像再生部１１１の電源と音声再生部１１２の電源とを個別に制御する。
【０１５８】
これにより、再生装置１００ａでは、情報端末２００から送信されてきた再生要求に対応するコンテンツの種類に応じて、映像再生部１１１および音声再生部１１２の電源を個別に制御できる。したがって、再生装置１００ａは、ユーザにより再生を指定されたコンテンツの再生に使用される再生部の電源だけをオンにできるので、コンテンツの再生にかかる消費電力を低減することができる。
【０１５９】
また、再生装置において、制御部は、コンテンツの種類が映像であると判定した場合であって、かつ再生部の電源がオフである場合は、音声再生部の電源をオンにせずに映像再生部の電源をオンにし、映像再生部にコンテンツの再生を指示してもよい。また、制御部は、コンテンツの種類が音声であると判定した場合であって、かつ再生部の電源がオフである場合は、映像再生部の電源をオンにせずに音声再生部の電源をオンにし、音声再生部にコンテンツの再生を指示してもよい。
【０１６０】
例えば、実施の形態２に示した再生装置１００ａの構成例では、制御部１３０ａは、コンテンツの種類が映像であると判定した場合であって、かつ再生部１１０ａの電源がオフである場合は、音声再生部１１２の電源をオンにせずに映像再生部１１１の電源をオンにし、映像再生部１１１にコンテンツの再生を指示する。また、制御部１３０ａは、コンテンツの種類が音声であると判定した場合であって、かつ再生部１１０ａの電源がオフである場合は、映像再生部１１１の電源をオンにせずに音声再生部１１２の電源をオンにし、音声再生部１１２にコンテンツの再生を指示する。
【０１６１】
これにより、再生装置１００ａは、情報端末２００から送信されてきた再生要求に対応するコンテンツの種類が映像である場合には、音声再生部１１２の電源をオンにせずに、映像再生部１１１の電源をオンにしてそのコンテンツ（映像）を再生できる。また、再生装置１００ａは、情報端末２００から送信されてきた再生要求に対応するコンテンツの種類が音声である場合には、映像再生部１１１の電源をオンにせずに、音声再生部１１２の電源をオンにしてそのコンテンツ（音声）を再生できる。このように、再生装置１００ａは、再生要求に対応するコンテンツの種類に応じて、映像再生部１１１および音声再生部１１２のいずれか一方の電源だけをオンにできるため、ユーザにより再生を指定されたコンテンツ（映像および音声のいずれか一方）の再生に使用される再生部（映像再生部１１１および音声再生部１１２のいずれか一方）の電源だけをオンにできる。したがって、再生装置１００ａでは、コンテンツの再生にかかる消費電力を低減することができる。
【０１６２】
［２−４．変形例１］
実施の形態２では、制御部１３０ａが、コンテンツの種類が映像であるか音声であるかを判定する動作例を説明したが、本開示は何らこれに限定されない。例えば、制御部１３０ａは、コンテンツの種類に、映像と音声とがともに含まれるか否かをさらに判定してもよい。そして、コンテンツの種類に映像と音声とがともに含まれる場合、制御部１３０ａは、再生部１１０ａの電源がオフであれば、映像再生部１１１および音声再生部１１２の電源をともにオンにし、映像再生部１１１および音声再生部１１２にコンテンツ（映像および音声）の再生を指示してもよい。
【０１６３】
［２−５．変形例２］
実施の形態２では、ステップＳ５２およびステップＳ５５において、制御部１３０ａが、再生部１１０ａの電源がオンであるか否かを判定する動作例を説明したが、本開示は何らこれに限定されない。例えば、制御部１３０ａは、ステップＳ５２において再生部１１０ａの映像再生部１１１の電源がオンであるか否かを判定してもよい。また、制御部１３０ａは、ステップＳ５５において再生部１１０ａの音声再生部１１２の電源がオンであるか否かを判定してもよい。
【０１６４】
［２−６．変形例３］
実施の形態２では、制御部１３０ａは、ステップＳ５２において再生部１１０ａの電源はオンであると判定した場合に、映像再生部１１１に映像の再生を指示する動作例を説明したが、本開示は何らこれに限定されない。例えば、制御部１３０ａは、この場合に、音声再生部１１２の電源がオンであれば、音声再生部１１２の電源をオフにして、映像再生部１１１に映像の再生を指示してもよい。
【０１６５】
また、実施の形態２では、制御部１３０ａは、ステップＳ５５において再生部１１０ａの電源はオンであると判定した場合に、音声再生部１１２に音声の再生を指示する動作例を説明したが、本開示は何らこれに限定されない。例えば、制御部１３０ａは、この場合に、映像再生部１１１の電源がオンであれば、映像再生部１１１の電源をオフにして、音声再生部１１２に音声の再生を指示してもよい。
【０１６６】
（実施の形態３）
次に、図１４〜図１８を用いて、実施の形態３を説明する。
【０１６７】
［３−１．構成］
図１４は、実施の形態３における出力装置４００および情報端末２００の一構成例を示すブロック図である。
【０１６８】
実施の形態３に示す情報端末２００は、実施の形態１に示した情報端末２００と実質的に同じ構成である。また、実施の形態３に示す出力装置４００は、実施の形態１に示した再生装置１００と実質的に同じ構成である。ただし、実施の形態３の出力装置４００は、実施の形態１に示した再生装置１００と比較して、再生部１１０に代えて出力部４１０を備える点が異なる。また、出力装置４００の制御部４３０の動作に、再生装置１００で制御部１３０が行う動作と異なる点がある。
【０１６９】
なお、出力装置４００は、映像および音声を出力することが可能な装置である。本実施の形態では、出力装置４００はＴＶであるが、出力装置４００は、レコーダー、またはセットトップボックス、等であってもよい。
【０１７０】
以下、実施の形態３の出力装置４００について説明する。ただし、以下では、実施の形態１に示した再生装置１００と異なる点を主に説明する。
【０１７１】
出力部４１０は、映像および音声の少なくとも一方を出力する。具体的には、出力部４１０は、アプリケーションが起動されることにより制御部４３０によって生成された映像および音声の少なくとも一方を出力する。
【０１７２】
出力部４１０は、制御部４３０により出力された映像信号から得られる映像を出力（表示）するモニタと、制御部４３０により出力された音声信号から得られる音声を出力するスピーカと、を含む。例えば、出力部４１０は、プロセッサ、プログラムが記憶されているメモリ、映像を出力するディスプレイ、音声を出力するスピーカ（アンプを含む）、等を備えている。
【０１７３】
制御部４３０は、情報端末２００から送信されてきたアプリケーションの起動要求を、例えばＷｉ−Ｆｉ  Ｄｉｒｅｃｔ（登録商標）等の無線接続を介して通信部１２０が受信した場合であって、かつ出力部４１０の電源がオフである場合に、出力部４１０の電源をオンにする第一制御を行い、起動されたアプリケーションによる映像および音声の少なくとも一方の出力を出力部４１０に指示する。
【０１７４】
また、制御部４３０は、第一制御を行った後で、起動要求により開始されたアプリケーションが終了したときは、出力部４１０の電源をオフにする第二制御を行う。
【０１７５】
また、制御部４３０は、第一制御を行ってから、起動要求により開始されたアプリケーションが終了するまでの間に、出力装置４００上でのユーザ操作を受け付けた場合は、第二制御を行わなくてもよい。なお、出力装置４００上でのユーザ操作とは、実施の形態１で説明した、再生装置１００上でのユーザ操作と実質的に同じ動作を表す。
【０１７６】
［３−２．動作］
以上のように構成された出力装置４００について、その動作を以下に説明する。
【０１７７】
出力装置４００は、情報端末２００からアプリケーションの起動要求を受信した場合は、当該起動要求に対応したアプリケーションを起動する処理（以下、「起動処理」という）を行う。以下、図１５を用いて、出力装置４００で行われる起動処理の詳細について説明する。なお、本実施の形態では、コンテンツの起動要求を、単に「起動要求」と略記することもある。
【０１７８】
図１５は、実施の形態３における出力装置４００で実行される、アプリケーションの起動処理の動作の一例を示すフローチャートである。
【０１７９】
まず、制御部４３０は、通信部１２０が情報端末２００からアプリケーションの起動要求を受信したか否かを判定する（ステップＳ６１）。
【０１８０】
具体的には、制御部４３０は、通信部１２０が、Ｗｉ−Ｆｉ  Ｄｉｒｅｃｔ（登録商標）による通信接続が確立されている情報端末２００から、アプリケーションの起動要求を受信したか否かを判定する。なお、アプリケーションの起動要求には、特定のアプリケーションを指定する情報が含まれていてもよい。
【０１８１】
次に、制御部４３０は、ステップＳ６１において、通信部１２０が情報端末２００からアプリケーションの起動要求を受信した、と判定した場合（ステップＳ６１でＹｅｓ）は、出力部４１０の電源がオンであるか否かを判定する（ステップＳ６２）。
【０１８２】
一方、制御部４３０は、ステップＳ６１において、通信部１２０は情報端末２００からアプリケーションの起動要求を受信していない、と判定した場合（ステップＳ６１でＮｏ）は、ステップＳ６１の判定を繰り返す。つまり、制御部４３０は、通信部１２０が情報端末２００からアプリケーションの起動要求を受信するまで待機する。
【０１８３】
制御部４３０は、ステップＳ６２において、出力部４１０の電源はオンである、と判定した場合（ステップＳ６２でＹｅｓ）は、処理をステップＳ６５に進める。
【０１８４】
制御部４３０は、ステップＳ６２において、出力部４１０の電源はオンではない、と判定した場合（ステップＳ６２でＮｏ）は、出力部４１０の電源をオンにする第一制御を行う（ステップＳ６３）。
【０１８５】
そして、制御部４３０は、第一フラグの値を「０」から「１」に変更する（ステップＳ６４）。
【０１８６】
なお、第一フラグは、情報端末２００から送信されてきたアプリケーションの起動要求により出力部４１０の電源がオンにされたこと（第一制御が行われたこと）を示すフラグであり、情報端末２００から送信されてきたアプリケーションの起動要求により出力部４１０の電源がオフからオンにされたときに「１」となる。したがって、出力部４１０の電源がオフのとき、第一フラグは「０」である。また、通信部１２０が情報端末２００からアプリケーションの起動要求を受信する以前から出力部４１０の電源がすでにオンになっているときも、第一フラグは「０」である。したがって、ステップＳ６２でＹｅｓのとき、第一フラグは「０」である。第一フラグは、例えば、メモリ等の記憶部（図示せず）に記憶されている。
【０１８７】
次に、制御部４３０は、起動要求に対応したアプリケーションを実行し、アプリケーションの実行により生成された映像および／または音声の出力を出力部４１０に指示する（ステップＳ６５）。その指示を受け付けた出力部４１０は、生成された映像および／または音声を出力する。
【０１８８】
出力装置４００は、アプリケーションの実行中に出力装置４００上でのユーザ操作を受付部１５０が受け付けた場合は、当該ユーザ操作を受け付けたことを記録する記録処理を行う。以下、図１６を用いて記録処理の詳細について説明する。
【０１８９】
なお、情報端末２００上でユーザ操作を行うユーザと、出力装置４００上でユーザ操作を行うユーザとは、同一ユーザであってもよく、互いに異なるユーザであってもよい。また、以下では、アプリケーションが実行されて生成された映像および／または音声の出力が出力部４１０で行われることも、「アプリケーションの実行」に含める。
【０１９０】
図１６は、実施の形態３における出力装置４００で実行される記録処理の動作の一例を示すフローチャートである。なお、記録処理は、図１５に示した起動処理が行われた後で開始される。
【０１９１】
まず、制御部４３０は、出力装置４００上でのユーザ操作を受付部１５０が受け付けたか否かを判定する（ステップＳ７１）。
【０１９２】
制御部４３０は、ステップＳ７１において、出力装置４００上でのユーザ操作を受付部１５０が受け付けた、と判定した場合（ステップＳ７１でＹｅｓ）は、第二フラグの値を「０」から「１」に変更する（ステップＳ７２）。
【０１９３】
なお、第二フラグは、出力装置４００上でのユーザ操作を受付部１５０が受け付けたことを示すフラグである。第二フラグは、例えば、メモリ等の記憶部（図示せず）に記憶されている。
【０１９４】
一方、制御部４３０は、ステップＳ７１において、出力装置４００上でのユーザ操作を受付部１５０は受け付けていない、と判定した場合（ステップＳ７１でＮｏ）は、ステップＳ７１の判定を繰り返す。
【０１９５】
出力装置４００では、アプリケーション（の実行）が終了した後は、第一フラグの値、および、第二フラグの値に応じて、出力部４１０の電源の制御が行われる。以下、図１７を用いて出力部４１０の電源に対する制御の詳細について説明する。
【０１９６】
図１７は、実施の形態３における出力装置４００で実行される、アプリケーションが終了した後の出力部４１０の電源に対する制御の一例を示すフローチャートである。
【０１９７】
まず、制御部４３０は、出力部４１０による、起動要求に対応するアプリケーションの実行が終了したか否かを判定する（ステップＳ８１）。
【０１９８】
この動作は、制御部４３０は、情報端末２００から送信されてきたアプリケーションの起動要求に対応するアプリケーションが実行中であるか否か（アプリケーションの実行状況）を管理している、と言い換えてもよい。
【０１９９】
次に、制御部４３０は、ステップＳ８１において、出力部４１０によるアプリケーションの実行は終了した、と判定した場合（ステップＳ８１でＹｅｓ）は、第一フラグの値が「１」であるか否かを判定する（ステップＳ８２）。
【０２００】
一方、制御部４３０は、ステップＳ８１において、出力部４１０によるアプリケーションの実行は終了していない、と判定した場合（ステップＳ８１でＮｏ）は、ステップＳ８１の判定を繰り返す。つまり、制御部４３０は、出力部４１０によるアプリケーションの実行が終了するまで待機する。
【０２０１】
制御部４３０は、ステップＳ８２において、第一フラグの値は「１」である、と判定した場合（ステップＳ８２でＹｅｓ）は、第二フラグの値が「１」であるか否かを判定する（ステップＳ８３）。
【０２０２】
すなわち、制御部４３０は、情報端末２００から送信されてきたアプリケーションの起動要求により出力部４１０の電源がオフからオンにされ、その後、出力部４１０によるアプリケーションの実行が終了したときは、出力部４１０の電源がオンにされてからアプリケーションの実行が終了するまでの間に、受付部１５０が出力装置４００上でのユーザ操作を受け付けたか否かを判定する。
【０２０３】
制御部４３０は、ステップＳ８２において第一フラグの値は「０」である、と判定した場合（ステップＳ８２でＮｏ）、または、ステップＳ８３において第二フラグの値は「１」である、と判定した場合（ステップＳ８３でＹｅｓ）は、出力部４１０の電源をオフにしない（ステップＳ３４）。つまり、制御部４３０は、出力部４１０の電源をオンのままにする。
【０２０４】
制御部４３０は、ステップＳ８３において、第二フラグの値は「０」である、と判定した場合（ステップＳ８３でＮｏ）は、出力部４１０の電源をオフにする第二制御を行う（ステップＳ８５）。
【０２０５】
以上のように、制御部４３０は、第一フラグの値が「１」であり、かつ、第二フラグの値が「０」である場合は、アプリケーションの終了後に、出力部４１０の電源をオフにする。つまり、制御部４３０は、情報端末２００から送信されてきたアプリケーションの起動要求により出力部４１０の電源がオフからオンにされ、かつ、アプリケーションの実行中に、受付部１５０が出力装置４００上でのユーザ操作を受け付けていない場合は、アプリケーションの終了後に、出力部４１０の電源をオンからオフにする。
【０２０６】
一方、制御部４３０は、第一フラグの値が「０」である場合、または、第二フラグの値が「１」である場合は、アプリケーションの終了後も、出力部４１０の電源をオンのままにする。つまり、制御部４３０は、出力部４１０の電源のオンが情報端末２００からの起動要求により行われていない場合（すなわち、通信部１２０が情報端末２００からアプリケーションの起動要求を受信する以前から出力部４１０の電源がオンになっている場合）、または、アプリケーションが終了する前に、受付部１５０が出力装置４００上でのユーザ操作を受け付けた場合は、アプリケーションが終了した後も、出力部４１０の電源をオンのままにする。
【０２０７】
［３−３．効果等］
以上のように、本実施の形態において、出力装置は、映像および音声の少なくとも一方を出力する出力部と、情報端末との間で直接の無線接続を確立する通信部と、制御部と、を備える。制御部は、通信部が情報端末からアプリケーションの起動要求を無線接続を介して受信した場合は、出力部の電源がオフであれば、出力部の電源をオンにする第一制御を行い、出力部に、起動要求により起動されたアプリケーションによる映像および音声の少なくとも一方の出力を指示する。また、制御部は、第一制御を行った後に、起動要求により起動されたアプリケーションが終了したときは、出力部の電源をオフにする第二制御を行う。
【０２０８】
なお、出力装置４００は出力装置の一例である。出力部４１０は出力部の一例である。通信部１２０は通信部の一例である。制御部４３０は制御部の一例である。情報端末２００は情報端末の一例である。Ｗｉ−Ｆｉ  Ｄｉｒｅｃｔ（登録商標）は、出力装置と情報端末との間の直接の無線接続の一例である。
【０２０９】
例えば、実施の形態３に示した出力装置４００の構成例では、出力装置４００は、出力部４１０と、通信部１２０と、制御部４３０と、を備える。出力部４１０は、映像および音声の少なくとも一方を出力する。通信部１２０は、情報端末２００との間で直接の無線接続を確立する。制御部４３０は、通信部１２０が情報端末２００からアプリケーションの起動要求を無線接続を介して受信した場合は、出力部４１０の電源がオフであれば、出力部４１０の電源をオンにする第一制御を行い、出力部４１０に、起動したアプリケーションによる映像および音声の少なくとも一方の出力を指示する。また、制御部４３０は、第一制御を行った後に、そのアプリケーションが終了したときは、出力部４１０の電源をオフにする第二制御を行う。
【０２１０】
これにより、出力装置４００では、出力装置４００上でユーザ操作が行われておらず、かつ、出力部４１０の電源がオフであったとしても、情報端末２００からの起動要求を受信するだけで、出力部４１０の電源がオンになり、その起動要求に応じたアプリケーションが出力部４１０で実行される。すなわち、情報端末２００において、出力装置４００との無線接続のためのユーザ操作が行われていなくても、情報端末２００から出力装置４００にアプリケーションの起動要求を送信するためのユーザ操作が情報端末２００で行われるだけで、情報端末２００と出力装置４００との無線接続が確立され、出力部４１０の電源が自動的にオンし、情報端末２００からの無線通信によるアプリケーションの起動要求に対応したアプリケーションが出力装置４００で実行される。したがって、本実施の形態によれば、情報端末２００上で出力装置４００を操作するときのユーザ操作を簡略化できる。
【０２１１】
また、実施の形態３に示した出力装置４００の動作例では、制御部４３０は、第一制御を行った後に、アプリケーションの起動要求により起動されたアプリケーションの実行が終了したとき、出力部４１０の電源をオフにする第二制御を行う。
【０２１２】
これにより、出力装置４００では、制御部４３０により第二制御が行われることで自動的に出力部４１０の電源がオフになるため、ユーザによる電源オフのための操作が何ら行われなくても、アプリケーションの終了後に、出力部４１０の電源を元のオフの状態に自動的に戻すことができる。
【０２１３】
また、出力装置において、制御部は、第一制御を実行してから、起動要求により起動されたアプリケーションが終了するまでの間に、出力装置上でのユーザ操作を受け付けた場合は、第二制御を行わなくてもよい。
【０２１４】
例えば、実施の形態３に示した出力装置４００の動作例では、制御部４３０は、第一制御を行ってから、アプリケーションの起動要求により起動されたアプリケーションが終了するまでの間に、出力装置４００上でのユーザ操作を受け付けた場合は、第二制御を行わない。つまり、制御部４３０は、アプリケーションの起動要求により起動されたアプリケーションが終了するまでの間に、出力装置４００上でのユーザ操作を受け付けた場合は、アプリケーションが終了した後に、自動的に出力部４１０の電源をオフにする制御を行わず、電源がオンの状態を継続する。このため、出力装置４００上でユーザ操作を行ったユーザは、電源をオンに維持するための操作を何ら行わなくても、アプリケーションの終了後、出力装置４００を継続して使用することができる。
【０２１５】
［３−４．変形例１］
次に、図１８を用いて、実施の形態３の変形例１を説明する。
【０２１６】
出力装置の制御部は、起動要求により起動されたアプリケーションが、情報端末から受け付けたユーザ操作によって終了した場合は、出力部の電源をオフにしてもよい。
【０２１７】
例えば、実施の形態３の構成例では、出力装置４００において、制御部４３０は、起動要求により起動されたアプリケーションが、情報端末２００から受け付けたユーザ操作によって終了した場合は、出力部４１０の電源をオフにしてもよい。
【０２１８】
具体的には、制御部４３０は、情報端末２００からの起動要求により出力部４１０の電源をオンにしてアプリケーションを起動した後で、アプリケーションの実行により生成された映像および／または音声を出力部４１０が出力している間に、情報端末２００からアプリケーションの終了要求を受付部１５０が受け付けた場合は、出力部４１０の電源をオフにしてもよい。この場合の処理について、図１８を用いて説明する。なお、実施の形態３の変形例１における出力装置４００は、実施の形態３の出力装置４００と実質的に同じであるので、詳細な説明は省略する。
【０２１９】
図１８は、実施の形態３の変形例１における出力装置４００で実行される、情報端末２００から終了要求を受信したときの動作の一例を示すフローチャートである。
【０２２０】
まず、制御部４３０は、情報端末２００からの終了要求を受付部１５０が受け付けたか否かを判定する（ステップＳ９１）。
【０２２１】
制御部４３０は、ステップＳ９１において、情報端末２００からの終了要求を受付部１５０が受け付けた、と判定した場合（ステップＳ９１でＹｅｓ）は、起動要求に対応するアプリケーションを実行中であるか否かを判定する（ステップＳ９２）。
【０２２２】
一方、制御部４３０は、ステップＳ９１において、情報端末２００からの終了要求を受付部１５０は受け付けていない、と判定した場合（ステップＳ９１でＮｏ）は、ステップＳ９１の判定を繰り返す。
【０２２３】
制御部４３０は、ステップＳ９２において、アプリケーションを実行中ではない、と判定した場合（ステップＳ９２でＮｏ）は、ステップＳ９２の判定を繰り返す。
【０２２４】
制御部４３０は、ステップＳ９２において、アプリケーションを実行中である、と判定した場合（ステップＳ９２でＹｅｓ）は、アプリケーションの実行を終了し（ステップＳ９３）、出力部４１０の電源をオフにする（ステップＳ９４）。
【０２２５】
このように、実施の形態３の変形例１における出力装置４００では、情報端末２００から出力装置４００を操作するユーザは、出力部４１０の電源をオフにするためのユーザ操作を行わずとも、情報端末２００を用いてアプリケーションの終了要求を行うだけで、出力部４１０の電源をオフにできる。したがって、ユーザ操作を簡略化できる。
【０２２６】
（他の実施の形態）
以上のように、本開示における技術の例示として、実施の形態を説明した。そのために、添付図面および詳細な説明を提供した。しかしながら、本開示における技術は、これに限定されず、変更、置き換え、付加、省略等を行った実施の形態にも適用できる。また、上記実施の形態１〜３で説明した各構成要素を組み合わせて、新たな実施の形態とすることも可能である。
【０２２７】
添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２２８】
また、上述の実施の形態は、本開示における技術を例示するためのものであるから、特許請求の範囲またはその均等の範囲において種々の変更、置き換え、付加、省略、等を行うことができる。
【産業上の利用可能性】
【０２２９】
本開示は、再生装置および出力装置に適用可能である。具体的には、ＴＶ、レコーダー、セットトップボックス、等に、本開示は適用可能である。
【符号の説明】
【０２３０】
１００，１００ａ    再生装置
１１０，１１０ａ    再生部
１１１    映像再生部
１１２    音声再生部
１１５    認証画面
１２０    通信部
１３０，１３０ａ    制御部
１４０    記憶部
１４１    許可リスト
１５０    受付部
１６０    入力部
２００，２００ａ，２００ｂ    情報端末
２１０    入力部
２２０    表示部
２３０    制御部
２４０    通信部
３００    リモコン
４００    出力装置
４１０    出力部
４３０    制御部
【図１】
2016129216.tif 000003
【図２】
2016129216.tif 000004
【図３】
2016129216.tif 000005
【図４】
2016129216.tif 000006
【図５】
2016129216.tif 000007
【図６】
2016129216.tif 000008
【図７】
2016129216.tif 000009
【図８】
2016129216.tif 000010
【図９】
2016129216.tif 000011
【図１０】
2016129216.tif 000012
【図１１】
2016129216.tif 000013
【図１２】
2016129216.tif 000014
【図１３】
2016129216.tif 000015
【図１４】
2016129216.tif 000016
【図１５】
2016129216.tif 000017
【図１６】
2016129216.tif 000018
【図１７】
2016129216.tif 000019
【図１８】
2016129216.tif 000020
【国際調査報告】
2016129216.tif 000021
2016129216.tif 000022
2016129216.tif 000023
2016129216.tif 000024